(57)【要約】      （修正有）【課題】上部に梁等の突出物を有する建物の室内壁に対し、突出物の下側に配置された状態で取り付けられて施工される収納体の設計や構造を容易にし、その施工状態における外観上の見映えを向上させる収納体及びその施工構造を提供する。【解決手段】収納体１は、収納本体１０と扉２０とを備える。収納本体１０は、建物の室内壁Ｗ１上に配置される背板１１、左右一対の側板１２，１２、底板１３及び天板１４を矩形箱状に組み付けてなり、前側に開放された前側開口１５、及び梁Ｊの突出寸法と同じかそれよりも大きい奥行きを有する。収納本体１０の前側開口１５を開閉する扉２０は、収納体１の施工状態で閉じ位置にあるときに収納本体１０の天板１４と建物の室内天井Ｃとの間に天板上側空間Ｇを区画し、かつ梁Ｊを前側から覆うように隠す隠し部２２を有する。【選択図】図５
2019213667.tif 000002
【特許請求の範囲】
【請求項１】
上部に突出物を有する建物の室内壁に対し、該突出物の下側に配置された状態で取り付けられて施工される収納体であって、
上記室内壁上に配置される背板、左右一対の側板、底板及び天板を矩形箱状に組み付けてなり、前側に開放された前側開口、及び上記突出物の突出寸法と同じかそれよりも大きい奥行きを有する収納本体と、
上記収納本体の上記前側開口を開閉する扉と
を備え、
上記扉は、上記収納本体よりも上側に延びていて、上記収納体の施工状態で扉が閉じ位置にあるときに上記収納本体の上記天板と上記建物の室内天井との間に天板上側空間を区画し、かつ該突出物を前側から覆うように隠す隠し部を有することを特徴とする収納体。
【請求項２】
請求項１において、
上記収納本体の少なくとも一方の側板の外側表面にエンドパネルが該側板と重なるように設けられ、
上記エンドパネルは、該側板の外側表面に重なる重なり部と、該重なり部から上側に延び、上記天板上側空間を左右方向から区画する区画部とを有することを特徴とする収納体。
【請求項３】
請求項２において、
上記突出物は、建物の室内天井との交差部に配置された梁であり、
上記収納本体の奥行きが上記梁の突出寸法よりも大きく、
上記エンドパネルの上記区画部には、上記梁に沿うように切り欠かれた切欠部が設けられていることを特徴とする収納体。
【請求項４】
請求項２において、
上記収納本体の左右方向の幅が上記突出物の左右方向の幅よりも大きく、
上記エンドパネルは、上記収納本体の左右両側の側板の外側表面に各々設けられていることを特徴とする収納体。
【請求項５】
建物の室内天井との交差部に梁が配置された室内壁に対し、請求項３に記載の収納体が取り付けられて施工される収納体の施工構造であって、
上記梁の下側に上記収納体が配置された状態で上記室内壁上に上記収納本体が取り付けられ、
上記エンドパネルが上記収納本体に対し、上記切欠部が上記梁に沿うように配置され、かつ該収納本体の側板の外側表面に上記重なり部が重ねられた状態で取り付けられていることを特徴とする収納体の施工構造。
【請求項６】
上部かつ左右方向における中間部に突出物を有する建物の室内壁に対し、請求項４に記載の収納体が取り付けられて施工される収納体の施工構造であって、
上記突出物の下側に上記収納体が配置された状態で上記室内壁上に上記収納本体が取り付けられ、
上記エンドパネルが上記収納本体に対し、該収納本体の側板の外側表面に上記重なり部が重ねられた状態で取り付けられていることを特徴とする収納体の施工構造。
【発明の詳細な説明】
【技術分野】
【０００１】
本発明は、収納体及びその施工構造に関する。
【背景技術】
【０００２】
建物における室内の壁の上部には、天井との交差部等の位置に梁等が突出していることがある。この上部に突出物を有する室内壁に対し、玄関収納、下駄箱、クローゼット等の収納体を取り付ける場合、突出物が収納体の取り付けの邪魔になって障害となる。そのため、この突出物を避けてその下側の壁に収納体を施工せざるを得ないのが現状である。
【０００３】
一方、上部に突出物を有する室内壁に取り付け可能な収納体として、例えば、特許文献１に示される収納装置が提案されている。特許文献１に示される収納装置では、その取付面にある取付けの障害となる突部が包含される大きさの切欠を、突部に対応する部分に設け、この切欠を可撓性を有するシートで覆い、取付状態ではシートを突部に合わせて変形させるようになっている。
【先行技術文献】
【特許文献】
【０００４】
【特許文献１】実開昭６１−１６０７３４号公報
【発明の概要】
【発明が解決しようとする課題】
【０００５】
しかし、特許文献１に記載の収納装置では、その取付面における突部（突出物）に対応する部分に、突出物が包含される大きさの切欠を予め設ける必要があるため、収納装置の設計や構造が複雑となる問題がある。また、突出物の大きさによっては、突出物を切欠に包含できない場合もあり、この場合、収納装置の上部と天井との間に空間が生じて、その空間から突出物が見えるため、収納装置の施工状態における外観上の見映えが悪くなってしまう。
【０００６】
本発明は、かかる点に鑑みてなされたものであり、その目的とするところは、収納体の構造に工夫を加えることにより、収納体の設計や構造を容易にし、収納体の施工状態における外観上の見映えを向上させることにある。
【課題を解決するための手段】
【０００７】
上記の目的を達成するために、本発明では、収納体の前面に設けられる扉に着目し、その扉に収納体の施工状態で閉じ位置にあるときに突出物を前側から覆うように隠す隠し部を設けることとした。
【０００８】
具体的には、第１の発明は、上部に突出物を有する建物の室内壁に対し、該突出物の下側に配置された状態で取り付けられて施工される収納体であって、上記室内壁上に配置される背板、左右一対の側板、底板及び天板を矩形箱状に組み付けてなり、前側に開放された前側開口、及び上記突出物の突出寸法と同じかそれよりも大きい奥行きを有する収納本体と、上記収納本体の上記前側開口を開閉する扉とを備える。
【０００９】
そして、上記扉は、上記収納本体よりも上側に延びていて、上記収納体の施工状態で扉が閉じ位置にあるときに上記収納本体の上記天板と上記建物の室内天井との間に天板上側空間を区画し、かつ該突出物を前側から覆うように隠す隠し部を有することを特徴とする。
【００１０】
第１の発明では、収納体は、背板、左右一対の側板、底板及び天板を組み付けてなる矩形箱状の収納本体と、収納本体の前側開口を開閉する扉とから構成されているため、簡単な構造である。また、収納本体に突出物の大きさや形状等に応じた切欠等を設ける必要がなく、収納本体の奥行きが突出物の突出寸法と同じかそれよりも大きくなるようにするとともに、収納体の施工状態で扉の上部が建物の室内天井の近傍まで延びるように隠し部を設けるだけでよいため、収納体の設計や構造が容易である。
【００１１】
そして、この収納体は、その施工状態で扉が閉じ位置にあるときに、扉の隠し部により、収納本体の天板と建物の室内天井との間に突出物の一部（収納体上側に位置する部分）を収容する天板上側空間が区画され、該一部が前側から隠し部で覆われて隠れるようになっている。これにより、収納体を前側から見たときに天板上側空間から突出物の一部が見えないため、収納体の施工状態における外観上の見映えが向上する。
【００１２】
第２の発明は、第１の発明において、上記収納本体の少なくとも一方の側板の外側表面にエンドパネルが該側板と重なるように設けられ、上記エンドパネルは、該側板の外側表面に重なる重なり部と、該重なり部から上側に延び、上記天板上側空間を左右方向から区画する区画部とを有することを特徴とする。
【００１３】
第２の発明では、収納体の施工状態において、収納本体の側板外側表面にエンドパネルが重なるように設けられているので、そのエンドパネルの区画部により、上記天板上側空間が左右方向から区画される。これにより、エンドパネルが設けられた側から収納体を見たときに天板上側空間から突出物が見えないため、収納体の施工状態における外観上の見映えがより一層向上する。
【００１４】
第３の発明は、第２の発明において、上記突出物は、建物の室内天井との交差部に配置された梁であり、上記収納本体の奥行きが上記梁の突出寸法よりも大きく、上記エンドパネルの上記区画部には、上記梁に沿うように切り欠かれた切欠部が設けられていることを特徴とする。
【００１５】
第３の発明では、エンドパネルの切欠部が梁に沿うように配置されているため、収納体の施工状態において、切欠部を除いた区画部により、天板上側空間における収納本体と梁との隙間が覆われて隠れるようになっている。これにより、エンドパネルが設けられた側から収納体を見たときに天板上側空間における上記隙間が見えないため、突出物として梁を有する室内壁に対する収納体の施工状態においても外観上の見映えがより一層向上する。
【００１６】
第４の発明は、第２の発明において、上記収納本体の左右方向の幅が上記突出物の左右方向の幅よりも大きく、上記エンドパネルは、上記収納本体の左右両側の側板の外側表面に各々設けられていることを特徴とする。
【００１７】
第４の発明では、収納本体の左右方向の幅が突出物の幅よりも大きいため、収納体の施工状態において、収納本体の天板と建物の室内天井との間の天板上側空間に突出物全体が収容可能となる。また、収納本体の左右両側の側板の外側表面にエンドパネルが各々設けられているため、収納体の施工状態において、エンドパネルが設けられた左右両側から収納体を見たときにいずれから見ても天板上側空間から突出物が見えない。従って、左右方向の幅が収納本体の幅よりも小さい突出物を有する室内壁に対する収納体の施工状態においても外観上の見映えがより一層向上する。
【００１８】
第５の発明は、収納体の施工構造に係り、建物の室内天井との交差部に梁が配置された室内壁に対し、第３の発明に記載の収納体が取り付けられて施工される収納体の施工構造であって、上記梁の下側に上記収納体が配置された状態で上記室内壁上に上記収納本体が取り付けられ、上記エンドパネルが上記収納本体に対し、上記切欠部が上記梁に沿うように配置され、かつ該収納本体の側板の外側表面に上記重なり部が重ねられた状態で取り付けられていることを特徴とする。
【００１９】
第５の発明では、第３の発明の作用効果を奏する施工構造を得ることができる。
【００２０】
第６の発明は、収納体の施工構造に係り、上部かつ左右方向における中間部に突出物を有する建物の室内壁に対し、第４の発明に記載の収納体が取り付けられて施工される収納体の施工構造であって、上記突出物の下側に上記収納体が配置された状態で上記室内壁上に上記収納本体が取り付けられ、上記エンドパネルが上記収納本体に対し、該収納本体の側板の外側表面に上記重なり部が重ねられた状態で取り付けられていることを特徴とする。
【００２１】
第６の発明では、第４の発明の作用効果を奏する施工構造を得ることができる。
【発明の効果】
【００２２】
以上に説明したように、本発明によれば、収納本体およびその扉の構造が簡単であるため、収納体の設計や構造が容易である。また、収納体の施工状態で扉が閉じ位置にあるときには、扉の隠し部により、収納本体の天板と建物の室内天井との間に天板上側空間が区画され、天板上側空間に収容された突出物が前側から覆われて隠れるため、収納体を正面から見たときに天板上側空間から該突出物が見えないようになっており、収納体の施工状態における外観上の見映えの向上を図ることができる。
【図面の簡単な説明】
【００２３】
【図１】図１は、本発明の実施形態１に係る収納体の平面図である。
【図２】図２は、上記収納体の正面図である。
【図３】図３は、上記収納体の側面断面図であり、図１のIII−III断面図である。
【図４】図４は、上記収納体の施工構造を示す斜視図であり、扉が開き位置にある状態を示す。
【図５】図５は、上記収納体の施工構造を示す斜視図であり、扉が閉じ位置にある状態を示す。
【図６】図６は、上記収納体の施工構造を示す側面断面図である。
【図７】図７は、本発明の実施形態２に係る収納体の施工構造を示す図４相当図である。
【発明を実施するための形態】
【００２４】
以下、本発明を実施するための形態を図面に基づいて説明する。以下の好ましい実施形態の説明は、本質的に例示に過ぎず、本発明、その適用物或いはその用途を制限することを意図するものではない。
【００２５】
＜実施形態１＞
（収納体及びその施工構造）
図４乃至図６は、本発明の実施形態１に係る収納体１の施工構造Ｓを示す。図４乃至図６において、Ｗ１は建物内の室内の室内壁であり、この室内壁Ｗ１の上端部つまり室内天井Ｃとの交差部に突出物としての梁Ｊが配置されており、収納体１は室内壁Ｗ１に対し、梁Ｊの下側に配置された状態で取り付けられて施工されている。より具体的には、室内壁Ｗ１は左右方向に拡がる壁であり、その左側には前後方向に拡がる別の室内壁Ｗ２が隣り合うように配置されており、収納体１は室内壁Ｗ１の左端部に収納体１の左側面がその別の室内壁Ｗ２に沿うように取付固定されている。また、収納体１は、室内床面（図示省略）から完全に浮いた状態で施工（即ち、フロート施工）されている。
【００２６】
梁Ｊの大きさは、例えば、高さが１０ｍｍ〜４００ｍｍ、突出寸法が１０〜３００ｍｍ等である。
【００２７】
図１乃至図３に示すように、収納体１は、収納本体１０と、扉２０と、エンドパネル３０とを備える。収納本体１０は、例えば木製、樹脂製等の矩形状板材からなる、上記室内壁Ｗ１上に配置される背板１１と、左右一対の側板１２，１２（以下、単に「左右側板１２，１２」ともいう）と、底板１３と、天板１４とを組み付けて矩形箱状に形成され、前側に開放された前側開口１５を有している。
【００２８】
収納本体１０の奥行きは、梁Ｊの突出寸法よりも大きい寸法になっている。即ち、収納体１は、その施工状態において、室内壁Ｗ１に対し、梁Ｊよりも梁Ｊの突出方向（前方向）に突出している。収納本体１０の奥行きは、例えば、梁Ｊの突出寸法（ｍｍ）＋８０ｍｍ程度が好ましい。
【００２９】
収納本体１０の大きさは、梁Ｊの大きさ、収納本体１０が施工される場所等によって決定すればよい。収納体１がフロート施工された玄関収納の場合、収納本体１０の大きさは、例えば、高さが５７０ｍｍ〜７８０ｍｍ、奥行きが３５０ｍｍ〜４００ｍｍ、幅が３００ｍｍ〜８００ｍｍ等である。
【００３０】
収納本体１０の後側部には、後述する室内壁Ｗ１上に施工した桟木の係合部に連結される係合桟（図示省略）が設けられている。収納本体１０の底板１３の底面には、必要に応じて、ハンガーなどを掛けることが可能なパイプ等を設けてもよい。
【００３１】
収納本体１０の内部には、例えば木製、樹脂製等の矩形状板材からなる、内部空間１６を上下方向に区画する１枚の固定棚１７と、複数枚（図２及び図３では３枚）の自在棚１８，１８，…とが配置されている。固定棚１７は背板１１及び左右側板１２，１２に固定され、自在棚１８，１８，…は背板１１及び左右側板１２，１２に対しダボ（図示省略）によって支持されて上下方向に高さ位置を変更可能となっている。この他、必要に応じて、ハンガーレール等を設けてもよい。
【００３２】
扉２０は、収納本体１０の前側開口１５を開閉するもので、例えば木製、樹脂製等の矩形状板材からなり、左右に並べられて配置されている。この扉２０は片開きタイプのもので、その左端部が収納本体１０の左側板１２に上下複数（図２及び図３では３つ）の丁番２３，２３，…（ヒンジ）により回動可能に支持されている。なお、扉２０は、その右端部が収納本体１０の右側板１２に上下複数の丁番２３，２３，…により回動可能に支持されていてもよい。また、扉２０は片開きタイプのものでなくて、両開きタイプのものであってもよい。
【００３３】
本発明の特徴として、図４乃至図６に示すように、この扉２０には、収納体１の施工状態で扉２０が閉じ位置にあるときに、収納本体１０の天板１４と室内天井Ｃとの間に梁Ｊの一部（収納体１上側に位置する部分）を収容する天板上側空間Ｇを区画し、かつ梁Ｊの一部を前側から覆うように隠す隠し部２２が設けられている。具体的には、扉２０は、収納本体１０の前側開口１５を開閉する下側の開閉部２１に加え、その開閉部２１から収納本体１０よりも上側に室内天井Ｃ近くまで延びる隠し部２２を一体に有しており、収納体１の施工状態において、隠し部２２が収納本体１０の天板１４の位置よりも上側に延びて、その上端部は室内天井Ｃ近傍に位置している。
【００３４】
図３に示すように、収納体１の施工状態で扉２０が閉じ位置にあるときには、この扉２０の隠し部２２により、収納本体１０の天板１４と建物の室内天井Ｃとの間における天板上側空間Ｇを扉前側空間ｇ１から区画するとともに、天板上側空間Ｇを隠すようになっている。即ち、図５に示すように、収納体１の施工状態で扉２０が閉じ位置にあるときには、収納体１を前側（収納体１の正面）から見た場合に天板上側空間Ｇに梁Ｊの一部を収容して該一部が見えないようになっている。
【００３５】
扉２０の高さは、例えば、梁Ｊ（突出物）の高さ（ｍｍ）＋収納本体１０の高さ（ｍｍ）＋１４ｍｍ程度である。具体的には、例えば、収納体１がフロート施工された玄関収納（例えば高さが５７０ｍｍ〜７８０ｍｍ）の場合であって、施工される室内壁Ｗ１の上部に高さが例えば１０ｍｍ〜４００ｍｍの梁Ｊを有する場合、扉２０の高さは、５９０ｍｍ〜１１９０ｍｍ程度である。
【００３６】
必要に応じて、扉２０の外側表面に、取っ手等を取り付けてもよく、或いは扉２０と収納本体１０とにプッシュオープン金具を設けてもよい。
【００３７】
エンドパネル３０は、図２に示すように、収納本体１０の右側板１２の外側表面に重ねられた状態で一体的に取り付けられている。このエンドパネル３０は、例えば木製、樹脂製等の矩形状板材からなる、側板１２の外側表面に重なる重なり部３１と、重なり部３１から上側に延び、上記天板上側空間Ｇを左右方向から区画する区画部３２とを有する。
【００３８】
重なり部３１は、収納本体１０の右側板１２の外側表面に重ねられた状態で取り付けられる。重なり部３１の大きさは、収納本体１０の側板１２の大きさとほぼ同じである。
【００３９】
区画部３２は、図２乃至図６に示すように、重なり部３１の上端から延び、換言すると、収納本体１０の天板１４の位置よりも上側に延び、上端が建物の室内天井Ｃ近傍に達するように設けられている。また、図３乃至図６に示すように、区画部３２には、その後側上端の角部を梁Ｊに沿うように矩形状に切り欠いた切欠部３３が形成されている。即ち、図２に示すように、収納体１の施工状態では、梁Ｊに沿う切欠部３３を除いた区画部３２により、収納本体１０の天板１４と建物の室内天井Ｃとの間における天板上側空間Ｇをエンドパネル右側空間ｇ２から区画するようになっている。
【００４０】
具体的には、図４乃至図６に示すように、切欠部３３を除いた区画部３２により、天板上側空間Ｇにおける収納本体１０と梁Ｊとの隙間が覆われて隠れるようになっている。即ち、収納体１の施工状態において、収納体１をエンドパネル３０が設けられた側面（図４乃至図６では右側面）から見たときに天板上側空間Ｇにおける上記隙間が見えないようになっている。
【００４１】
区画部３２の高さは、収納本体１０の天板１４と建物の室内天井Ｃとの距離に基づいて決定すればよく、例えば、扉２０の隠し部２２の高さとほぼ同じである。また、エンドパネル３０の幅は、側板１２の幅（即ち、収納本体１０の奥行き）に扉２０の厚さを加算した長さとほぼ同じである。
【００４２】
（収納体の施工方法）
次に、上部に梁Ｊ（例えば高さが４００ｍｍ、突出寸法が３００ｍｍ）を有する建物の室内壁Ｗ１に対し、上記収納体１（例えば高さが５７０ｍｍ、奥行きが３８０ｍｍ、幅が５７０ｍｍ）を梁Ｊの下側に配置した状態でフロート施工する方法の一例を図４乃至図６に基づいて説明する。この例では、予め背板１１、左右側板１２，１２、底板１３及び天板１４を組み付けて収納本体１０を矩形箱状に形成し、その左側板１２に丁番２３，２３，…を上下方向に配置して取り付ける。なお、図４乃至図６では、固定棚１７及び自在棚１８が省略されている。また、図５では、丁番２３が省略されている。
【００４３】
最初に、扉２０を収納本体１０にその前側開口１５を開閉可能に丁番２３，２３，…により取り付ける。扉２０は、収納本体１０の室内壁Ｗ１に対する上下方向における施工位置に基づき、その高さを算出又は採寸により求めて、予め所定の高さ（例えば９８４ｍｍ）に形成されたものを準備する。或いは、収納体１の施工前に施工現場で扉２０を所定の高さ寸法にカットして高さを調整するようにしてもよい。
【００４４】
次いで、こうして扉２０が開閉可能に取り付けられた収納本体１０を、梁Ｊの下側に配置した状態で建物の室内壁Ｗ１の所定位置に取付固定する。このとき、収納本体１０は、梁Ｊの下面と所定間隔（例えば３０ｍｍ程度）をあけて配置する。また、収納本体１０の配置位置は、例えば、建物の室内天井Ｃから、扉２０の上端と室内天井Ｃとの間に設ける距離（例えば１３ｍｍ程度）と、扉２０の高さ寸法とを差し引いた高さが収納本体１０の配置位置の下端となるように決定すればよい。
【００４５】
収納本体１０の取付固定方法としては、例えば、図６に示すように、予め収納本体１０の後側部に係合桟（図示省略）を設けておき、建物の室内壁Ｗ１において、収納本体１０を配置する所定位置に上下の桟木４０，４０を取付固定し、これら桟木４０，４０に収納本体１０の係合桟を係合させて固定する方法等が挙げられる。
【００４６】
最後に、エンドパネル３０を収納本体１０の右側板１２の外側表面に重ねた状態で取り付ける。まず、エンドパネル３０の高さを算出して所定の高さ寸法になるように、エンドパネル３０をカットする。エンドパネル３０の高さ寸法は、その区画部３２の上端と室内天井Ｃとの間に例えば２ｍｍの隙間をあけるために、例えば、以下の式、
エンドパネル３０の高さ寸法（ｍｍ）＝建物の室内天井Ｃから収納本体１０の底板１３の底面までの長さ（ｍｍ）−２ｍｍ
に基づいて求めることができる。
【００４７】
次いで、所定の高さ寸法にカットされたエンドパネル３０上側における区画部３２の後側上端の角部を梁Ｊの形状に沿うように矩形状に切り欠くことにより、区画部３２に切欠部３３を形成する。切欠部３３の大きさは、例えば、高さが梁Ｊの高さ（ｍｍ）−２ｍｍ、左右方向の幅が梁Ｊの突出寸法とほぼ同じになるように調整すればよい。
【００４８】
このようにしてエンドパネル３０の区画部３２に切欠部３３を形成した後、その切欠部３３を梁Ｊに沿うように配置し、下側の重なり部３１を収納本体１０の右側板１２の外側表面に重ねた状態で、その重なり部３１を右側板１２に固定することで、エンドパネル３０を取り付ける。エンドパネル３０の取付方法としては、例えば、重なり部３１と収納本体１０の右側板１２とを螺子止め、接着する方法等が挙げられる。
【００４９】
収納体１の施工後、必要に応じて、固定棚１７、自在棚１８等を収納本体１０の内部に取り付ける。なお、収納本体１０の取付固定前に取り付けてもよい。
【００５０】
以上のようにして構成される収納体１は、収納本体１０に梁Ｊとの干渉を避けるために梁Ｊの大きさ、形状等に応じた切欠等を設ける必要がなく、その収納本体１０が矩形箱状に設計されているため、構造が簡単であり、その設計が容易である。
【００５１】
また、収納体１は、その前側に隠し部２２を有する扉２０が設けられ、収納本体１０の右側面に梁Ｊに沿う切欠部３３が切り欠かれた区画部３２を有するエンドパネル３０が取り付けられているため、収納体１の施工状態で扉２０が閉じ位置にあるときには、収納体１を前側正面から見ても梁Ｊの一部が天板上側空間Ｇ内に隠されて見えないようになる。さらに、扉２０が開き位置にあるときにも、収納体１をエンドパネル３０が設けられた側（図１乃至図６では右側）から見た場合に天板上側空間Ｇに位置する梁Ｊや、その下面と収納本体１０との隙間が見えないようになる。従って、収納体１の施工状態における外観上の見映えの向上を図ることができる。
【００５２】
さらに、収納本体１０の奥行きが梁Ｊの突出寸法よりも大きいため、施工状態では収納本体が梁Ｊよりも前側に突出し、その収納本体１０上側の天板上側空間Ｇにおける梁Ｊの前側に空間が形成される。この空間に収容物を収容することが可能となって、収納体１全体の収納スペースをさらに確保することができる。
【００５３】
また、収納体１は、一般的に使用される方法により施工可能であるため、施工時における作業性に優れている。
【００５４】
なお、本実施形態では、収納体１は室内壁Ｗ１の左端部に施工されているが、室内壁Ｗ１の右端部に施工されてもよい。その場合、エンドパネル３０は、収納本体１０の左側板１２の外側表面に設けられる。
【００５５】
或いは、室内壁Ｗ１の左右方向における中間部に収納体１が施工されていてもよい。この室内壁Ｗの左右中間部に施工する場合、左右一対のエンドパネル３０，３０を準備し、上記と同様にして、それらの後側上端の角部に切欠部３３を形成した後、エンドパネル３０，３０を収納本体１０の左右側板１２，１２の外側表面に各々取り付ければよい。これにより、収納体１の施工状態において、収納体１を左右方向のいずれの方向から見ても天板上側空間Ｇにおける梁Ｊやその収納本体１０との隙間が見えないようになる。従って、室内壁Ｗ１の左右中間部に収納体１が施工される場合であっても、収納体１の施工状態における外観上の見映えの向上を図ることができる。
【００５６】
なお、例えば、梁Ｊを有する室内壁Ｗ１の幅全体に亘って収納体１を取り付ける場合等は、収納本体１０の天板上側空間Ｇを左右方向から区画する必要がないため、エンドパネル３０を設けなくてもよい。
【００５７】
本実施形態では、収納本体１０の奥行きは、梁Ｊの突出寸法よりも大きい寸法に設計されているが、該突出寸法とほぼ同じであってもよい。但し、その場合、収納本体１０の天板上側空間Ｇに梁Ｊが収容されるだけとなるので、天板上側空間Ｇに収納スペースを確保する観点では、収納本体１０の奥行きは、梁Ｊの突出寸法よりも大きいほうが好ましい。
【００５８】
本実施形態では、収納本体１０は、梁Ｊの下面と所定間隔をあけて配置されているが、収納本体１０の天板１４と梁Ｊの下面とが当接するように配置してもよい。
【００５９】
＜実施形態２＞
図７は本発明の実施形態２を示す。この実施形態では、収納本体１０及びエンドパネル３０の構成が実施形態１と異なっているが、その他の点については、実施形態１と同様の構成である。そこで、以下の説明では、実施形態１の構成要素と同様の構成要素については、同じ符号を付し、重複説明を省略する場合がある。なお、図７では、固定棚１７及び自在棚１８が省略されている。
【００６０】
本実施形態では、室内壁Ｗ１の上部かつ左右方向における中間部に突出物としての分電盤Ｄが配置されており、収納体１は室内壁Ｗ１に対し、分電盤Ｄの下側に配置された状態で取り付けられて施工されている。
【００６１】
収納本体１０は、その左右方向の幅が分電盤Ｄの幅よりも大きい寸法になっている。即ち、収納体１の施工状態において、分電盤Ｄの全体が上記天板上側空間Ｇに収容されるようになっている。
【００６２】
エンドパネル３０は、左右一対に設けられ、収納本体１０の左右側板１２，１２の外側表面に各々取り付けられている。この場合、上述のごとく、分電盤Ｄ全体が天板上側空間Ｇに収容されるため、エンドパネル３０の区画部３２に切欠部３３を設ける必要がない、即ち、エンドパネル３０は矩形平板状のものとなる。その他の構成は、実施形態１と同様である。
【００６３】
従って、本実施形態によれば、実施形態１と同様の効果が得られる。即ち、本実施形態に係る収納体１は、比較的小さな突出物である分電盤Ｄを有する建物の室内壁Ｗ１に対しても取り付け可能であり、かつその施工状態における外観上の見映えの向上を図ることができる。この場合、エンドパネル３０の区画部３２に切欠部３３を形成する必要がないため、施工時における作業がより一層簡単になる。
【００６４】
＜その他の実施形態＞
上記各実施形態では、収納本体１０は、背板１１と、左右側板１２，１２と、底板１３と、天板１４とから構成されているが、収納本体１０の内部空間を左右方向に区画する仕切り板等をさらに設けてもよい。
【００６５】
上記各実施形態では、扉２０は、収納本体１０の前側開口１５を揺動により開閉する開き戸で構成されているが、左右方向にスライド可能な引戸タイプの構造であってもよい。
【００６６】
上記各実施形態では、収納体１は、室内壁Ｗ１に対し、フロート施工により取り付けられているが、室内の床上に台輪施工により取り付けられていてもよい。この場合、収納本体１０は、その底板１３の底面が床上に台輪を介して支持される。
【００６７】
上記各実施形態において、収納本体１０やエンドパネル３０等に、例えばＬＡＮ配線等を挿通するための孔や切欠等を設けてもよい。
【産業上の利用可能性】
【００６８】
本発明は、梁や分電盤等の突出物を上部に有する建物の室内壁に対し、突出物の下側に配置された状態で取り付けられて施工される収納体として極めて有用であり、産業上の利用可能性が高い。
【符号の説明】
【００６９】
Ｓ              収納体の施工構造
Ｗ１            室内壁
Ｗ２            別の室内壁
Ｃ              室内天井
Ｊ              梁（突出物）
Ｄ              分電盤（突出物）
Ｇ              天板上側空間
ｇ１            扉前側空間
ｇ２            エンドパネル右側空間
１              収納体 
１０            収納本体 
１１            背板 
１２，１２      側板 
１３            底板 
１４            天板 
１５            前側開口 
１６            内部空間 
２０            扉 
２１            開閉部 
２２            隠し部 
３０            エンドパネル 
３１            重なり部 
３２            区画部 
３３            切欠部 
【図１】
2019213667.tif 000003
【図２】
2019213667.tif 000004
【図３】
2019213667.tif 000005
【図４】
2019213667.tif 000006
【図５】
2019213667.tif 000007
【図６】
2019213667.tif 000008
【図７】
2019213667.tif 000009